【手続補正書】
【提出日】平成22年2月18日(2010.2.18)
【手続補正１】
【補正対象書類名】特許請求の範囲
【補正対象項目名】全文
【補正方法】変更
【補正の内容】
【特許請求の範囲】
【請求項１】
遊技領域に設けられた第１の始動領域と、前記遊技領域に設けられた第２の始動領域と、前記第１の始動領域に遊技球が入賞したことに基づいて変動表示の第１の開始条件が成立したときに第１識別情報の変動表示を開始し、表示結果を導出表示する第１変動表示手段と、前記第２の始動領域に遊技球が入賞したことにもとづいて変動表示の第２の開始条件が成立したときに第２識別情報の変動表示を開始し、表示結果を導出表示する第２変動表示手段と、遊技球が入賞可能な第１状態と遊技機が入賞不可能な第２状態のいずれかの状態に制御可能であり、前記第１変動表示手段または前記第２変動表示手段に所定の表示結果が導出表示されたときに第１状態となる始動動作状態に制御される可変入賞球装置とを備え、前記可変入賞球装置には入賞領域が設けられ、前記始動動作状態に制御されている前記可変入賞球装置の前記入賞領域のうち特別領域に遊技球が入賞したときに、前記可変入賞球装置を第１状態に制御する特定遊技状態に移行させる遊技機であって、
前記第１変動表示手段および前記第２変動表示手段のそれぞれで実行される変動表示について、前記所定の表示結果を導出表示するか否かと、前記特定遊技状態が発生したときの前記可変入賞球装置を前記第１状態に変化させる変化回数とを、前記変動表示の表示結果を導出表示する前に決定する事前決定手段と、
前記特定遊技状態において、前記可変入賞球装置を前記第１状態に変化させる制御を前記事前決定手段により決定された変化回数実行する遊技状態制御手段と、を備え、
前記事前決定手段は、前記第２変動表示手段で実行される変動表示の後発生する前記特定遊技状態で実行する前記変化回数を、前記第１変動表示手段で実行される変動表示の後発生する前記特定遊技状態で実行する前記変化回数に比べて、相対的に多い回数に決定することを特徴とする、遊技機。
【請求項２】
前記事前決定手段は、前記第１変動表示手段および前記第２変動表示手段のそれぞれで実行される変動表示について、予め定められた特定表示結果を導出表示するか否かも決定し、
前記可変入賞球装置は、前記第１変動表示手段と前記第２変動表示手段のいずれかに前記特定表示結果が導出表示されたときにも、第１状態に制御されることを特徴とする、請求項１に記載の遊技機。
【請求項３】
遊技領域に設けられた第１の始動領域と、前記遊技領域に設けられた第２の始動領域と、前記第１の始動領域に遊技球が入賞したことに基づいて変動表示の第１の開始条件が成立したときに第１識別情報の変動表示を開始し、表示結果を導出表示する第１変動表示手段と、前記第２の始動領域に遊技球が入賞したことにもとづいて変動表示の第２の開始条件が成立したときに第２識別情報の変動表示を開始し、表示結果を導出表示する第２変動表示手段と、遊技球が入賞可能な第１状態と遊技機が入賞不可能な第２状態のいずれかの状態に制御可能であり、前記第１変動表示手段または前記第２変動表示手段に所定の表示結果が導出表示されたときに第１状態となる始動動作状態に制御される可変入賞球装置と、遊技球が入賞可能な第１状態と遊技機が入賞不可能な第２状態のいずれかの状態に制御可能である特定可変入賞球装置とを備え、前記可変入賞球装置には入賞領域が設けられ、前記始動動作状態に制御されている前記可変入賞球装置の前記入賞領域のうち特別領域に遊技球が入賞したときに、前記特定可変入賞球装置を第１状態に制御する特定遊技状態に移行させる遊技機であって、
前記第１変動表示手段および前記第２変動表示手段のそれぞれで実行される変動表示について、前記所定の表示結果を導出表示するか否かと、前記特定遊技状態が発生したときの前記特定可変入賞球装置を前記第１状態に変化させる変化回数とを、前記変動表示の表示結果を導出表示する前に決定する事前決定手段と、
前記特定遊技状態において、前記特定可変入賞球装置を前記第１状態に変化させる制御を前記事前決定手段により決定された変化回数実行する遊技状態制御手段と、を備え、
前記事前決定手段は、前記第２変動表示手段で実行される変動表示の後発生する前記特定遊技状態で実行する前記変化回数を、前記第１変動表示手段で実行される変動表示の後発生する前記特定遊技状態で実行する前記変化回数に比べて、相対的に多い回数に決定することを特徴とする、遊技機。
【請求項４】
前記事前決定手段は、前記第１変動表示手段および前記第２変動表示手段のそれぞれで実行される変動表示について、予め定められた特定表示結果を導出表示するか否かも決定し、
前記特定可変入賞球装置は、前記第１変動表示手段と前記第２変動表示手段のいずれかに前記特定表示結果が導出表示されたときにも、第１状態に制御されることを特徴とする、請求項３に記載の遊技機。
【請求項５】
前記可変入賞球装置の入賞領域に入賞した遊技球を検出して検出信号を出力する入賞検出手段と、
前記可変入賞球装置に進入した遊技球が該可変入賞球装置から排出されたことを特定可能な検出信号を出力する排出検出手段と、
前記入賞検出手段からの前記検出信号を入力したか否かを判定する入賞判定手段とをさらに備え、
前記可変入賞球装置が前記始動動作状態または前記特定遊技状態に制御されていないときに前記入賞判定手段が前記検出信号を入力したことにもとづいて異常入賞が生じたと判定し、かつ、前記可変入賞球装置が第１状態に変化したときに、前記可変入賞球装置に進入した遊技球が該可変入賞球装置から排出されたことが前記排出検出手段により検出されたことを条件に、前記入賞判定手段が前記検出信号を入力したことにもとづいて異常入賞が生じたと判定する異常判定手段をさらに備えたことを特徴とする、請求項１または請求項２に記載の遊技機。
【請求項６】
前記可変入賞球装置の入賞領域に入賞した遊技球を検出して検出信号を出力する入賞検出手段と、
前記可変入賞球装置に進入した遊技球が該可変入賞球装置から排出されたことを特定可能な検出信号を出力する排出検出手段と、
前記入賞検出手段からの前記検出信号を入力したか否かを判定する入賞判定手段とをさらに備え、
前記可変入賞球装置が前記始動動作状態に制御されていないときに前記入賞判定手段が前記検出信号を入力したことにもとづいて異常入賞が生じたと判定し、かつ、前記可変入賞球装置が第１状態に変化したときに、前記可変入賞球装置に進入した遊技球が該可変入賞球装置から排出されたことが前記排出検出手段により検出されたことを条件に、前記入賞判定手段が前記検出信号を入力したことにもとづいて異常入賞が生じたと判定する異常判定手段をさらに備えたことを特徴とする、請求項３または請求項４に記載の遊技機。
【請求項７】
前記特定可変入賞球装置に入賞した遊技球を検出して検出信号を出力する特定入賞検出手段と、
前記特定入賞検出手段からの前記検出信号を入力したか否かを判定する特定入賞判定手段とをさらに備え、
前記異常判定手段は、前記特定可変入賞球装置が第１状態に制御される特定遊技状態を除く遊技状態において前記特定入賞判定手段が前記検出信号を入力したと判定すると、前記特定可変入賞球装置への異常入賞が生じたと判定する、請求項６に記載の遊技機。
【請求項８】
遊技の進行を制御する遊技制御手段が送信するコマンドにもとづいて、遊技機に設けられている演出装置により異常報知を行なう異常報知手段を備え、
前記遊技制御手段は、
前記異常判定手段が前記可変入賞球装置への異常入賞が生じたと判定したときに、異常報知の実行を指示するための異常報知コマンドを送信する異常報知コマンド送信手段と、
前記異常判定手段が前記特定可変入賞球装置への異常入賞が生じたと判定したときに、異常報知の実行を指示するための特定異常報知コマンドを送信する特定異常報知コマンド送信手段とを含み、
前記異常報知手段は、前記可変入賞球装置への異常入賞と、前記特定可変入賞球装置への異常入賞とを区別可能に異常報知を行なう、請求項６または請求項７のいずれかに記載の遊技機。
【請求項９】
前記事前決定手段は、前記特定遊技状態終了後に前記特定遊技状態と異なる通常状態に制御するか、前記特定遊技状態終了後に前記始動動作状態に制御されている前記可変入賞球装置の前記特別領域に遊技球が入賞する確率が前記通常状態よりも向上した高確率状態に制御するかも決定し、
遊技機は、さらに、
前記事前決定手段により前記高確率状態に制御することが決定されているときに、前記始動動作状態に制御されている前記可変入賞球装置の前記特別領域に遊技球が入賞する確率を向上した高確率状態に制御する高確率制御手段と、
前記第２の始動領域に遊技球が入賞しやすい状態と該入賞しやすい状態に比べて前記第２の始動領域に遊技球が入賞しにくいまたは入賞しない状態とに変化可能であり、前記遊技領域に設けられた第３の始動領域を遊技球が通過したことに基づいて前記入賞しやすい状態になる可変始動入賞装置とを備え、
前記可変始動入賞装置は、前記高確率状態であるときに、前記通常状態に比べて前記第２の始動領域に遊技球が入賞しやすい状態に制御されることを特徴とする、請求項１〜請求項８のいずれかに記載の遊技機。
【請求項１０】
前記特定遊技状態による前記変化回数として予め定められた第１の複数種類の回数と前記第１変動表示手段での複数種類の第１の表示結果との関係を示す第１のデータを記憶する第１データ記憶手段と、
前記特定遊技状態による前記変化回数として予め定められた第２の複数種類の回数と前記第２変動表示手段での複数種類の第２の表示結果との関係を示す第２のデータを記憶する第２データ記憶手段とをさらに備え、
前記事前決定手段は、さらに、前記第１変動表示手段での表示結果の導出表示後に発生する前記特定遊技状態について、前記第１データ記憶手段に記憶された第１のデータに基づいて、前記変化回数と、導出表示する第１の特定表示結果とを選択決定し、前記第２変動表示手段での表示結果の導出表示後に発生する前記特定遊技状態について、前記第２データ記憶手段に記憶された第２のデータに基づいて、前記変化回数と、導出表示する第２の特定表示結果とを選択決定することを特徴とする、請求項１〜請求項９のいずれかに記載の遊技機。
【請求項１１】
前記入賞領域に遊技球が入賞したことに応じて遊技球を払い出す制御を実行する入賞時払出制御手段を備え、
前記入賞時払出制御手段は、前記異常判定手段が異常入賞が生じたと判定したときには当該入賞に基づく遊技球を払い出す制御の実行を禁止する異常入賞時払出制御禁止手段を含む、請求項５〜請求項１０のいずれかに記載の遊技機。
【請求項１２】
前記異常判定手段は、遊技進行状態を示すデータが所定範囲の数値を示しているときに、入賞判定手段が前記検出信号を入力したことに基づいて異常入賞が生じたと判定し、
前記遊技状態制御手段は、前記遊技進行状態を示すデータが前記所定範囲の数値以外の数値を示しているときに前記可変入賞球装置を第１状態に制御する、請求項５〜請求項１１のいずれかに記載の遊技機。
【請求項１３】
遊技の進行を制御する遊技制御手段が送信するコマンドに基づいて、遊技機に設けられている演出装置により異常報知を行なう異常報知手段を備え、
前記入賞検出手段は、遊技球が前記可変入賞球装置に進入したときに検出信号を出力する進入検出手段を含み、
前記遊技制御手段は、前記可変入賞球装置が第２状態に変化してから所定時間が経過しても、前記進入検出手段からの検出信号の数と前記排出検出手段からの検出信号の数とが同じにならないときに排出異常が生じたと判定し、排出異常報知コマンドを送信する排出異常報知コマンド送信手段を含み、
前記異常報知手段は、排出異常報知コマンド送信手段が前記排出異常報知コマンドを送信したことに基づいて排出異常の報知を行なう、請求項５〜請求項１２のいずれかに記載の遊技機。
【請求項１４】
前記入賞検出手段は、遊技球が前記可変入賞球装置に進入したときに検出信号を出力する進入検出手段を含み、
遊技機は、
前記可変入賞球装置が第２状態に変化してから所定時間が経過しても、前記進入検出手段からの検出信号の数と前記排出検出手段からの検出信号の数とが同じにならないときに排出異常が生じたと判定する排出異常判定手段と、
該排出異常判定手段が排出異常が生じたと判定したときに遊技を停止させる制御を行なう遊技停止手段とをさらに備えた、請求項５〜請求項１３のいずれかに記載の遊技機。
【請求項１５】
前記始動動作状態に制御された前記可変入賞球装置内に進入した遊技球が前記特別領域に入賞したときに発生する特定遊技状態について前記事前決定手段が決定した前記変化回数を、特定遊技状態発生前に報知する変化回数予告報知手段をさらに備えた、請求項１〜請求項１４のいずれかに記載の遊技機。
【手続補正２】
【補正対象書類名】明細書
【補正対象項目名】０００６
【補正方法】変更
【補正の内容】
【０００６】
（１）  遊技領域に設けられた第１の始動領域（第１始動入賞口１３）と、前記遊技領域に設けられた第２の始動領域（たとえば、第２始動入賞口１４）と、前記第１の始動領域に遊技球が入賞したことに基づいて変動表示の第１の開始条件が成立したときに第１識別情報（たとえば、第１特別図柄や第１飾り図柄）の変動表示を開始し、表示結果を導出表示する第１変動表示手段（たとえば、第１特別図柄表示器８ａや第１飾り図柄表示器９ａ）と、前記第２の始動領域に遊技球が入賞したことに基づいて変動表示の第２の開始条件が成立したときに第２識別情報（たとえば、第２特別図柄や第２飾り図柄）の変動表示を開始し、表示結果を導出表示する第２変動表示手段（たとえば、第２特別図柄表示器８ｂや第２飾り図柄表示器９ｂ）と、遊技球が入賞可能な第１の状態（たとえば、開状態）と遊技機が入賞不可能な第２状態（たとえば、閉状態）のいずれかの状態に制御可能であり、前記第１変動表示手段または前記第２変動表示手段に所定の表示結果が導出表示されたときに第１状態となる始動動作状態に制御される可変入賞球装置（たとえば、可変入賞球装置２０）とを備え、前記可変入賞球装置には入賞領域が設けられ、前記始動動作状態に制御されている前記可変入賞球装置の前記入賞領域のうち特別領域（たとえば、特定入賞口３０）に遊技球が入賞したときに、前記可変入賞球装置を第１状態に制御する特定遊技状態に移行させる遊技機（たとえば、パチンコ遊技機１）であって、
前記第１変動表示手段および前記第２変動表示手段のそれぞれで実行される変動表示について、前記所定の表示結果を導出表示するか否かと、前記特定遊技状態が発生したときの前記可変入賞球装置を前記第１状態に変化させる変化回数とを、前記変動表示の表示結果を導出表示する前に決定する事前決定手段（たとえば、第１特別図柄プロセス処理における図３２のＳ６２，Ｓ６３ａ，Ｓ８３、図３３のＳ８３ａ，Ｓ８３ｄ、第２特別図柄プロセス処理で、第１特別図柄プロセス処理におけるこれらの処理に相当する処理を実行する部分）と、
前記特定遊技状態において、前記可変入賞球装置を前記第１状態に変化させる制御を前記事前決定手段により決定された変化回数実行する遊技状態制御手段（たとえば、図３３のＳ８３ｇ、図４７のＳＡ５１１〜ＳＡ５１７）と、を備え、
前記事前決定手段は、前記第２変動表示手段で実行される変動表示の後発生する前記特定遊技状態で実行する前記変化回数を、前記第１変動表示手段で実行される変動表示の後発生する前記特定遊技状態で実行する前記変化回数に比べて、相対的に多い回数に決定する（たとえば、図１５（ａ）〜（ｄ），図９５，図９６の第１大当り図柄テーブルと第２大当り図柄テーブルと第１準大当り図柄テーブルと第２準大当り図柄テーブル）ことを特徴とする。
【手続補正３】
【補正対象書類名】明細書
【補正対象項目名】０００７
【補正方法】変更
【補正の内容】
【０００７】
このような構成によれば、第２変動表示手段で実行される変動表示について決定された特定遊技状態で実行される可変入賞球装置の第１状態への変化回数が、第１変動表示手段で実行される変動表示について決定された特定遊技状態で実行される可変入賞球装置の第１状態への変化回数に比べて、相対的に多い回数となるために、第１変動表示手段と第２変動表示手段とを用いた遊技を多様化することができる。
【手続補正４】
【補正対象書類名】明細書
【補正対象項目名】０００８
【補正方法】変更
【補正の内容】
【０００８】
（２）  前記事前決定手段は、前記第１変動表示手段および前記第２変動表示手段のそれぞれで実行される変動表示について、予め定められた特定表示結果を導出表示するか否かも決定し（たとえば、第１特別図柄プロセス処理における図３２のＳ６２，Ｓ６３、図３３のＳ８３ｂの処理を実行する部分、第２特別図柄プロセス処理で、第１特別図柄プロセス処理におけるこれらの処理に相当する処理を実行する部分）、
前記可変入賞球装置は、前記第１変動表示手段と前記第２変動表示手段のいずれかに前記特定表示結果が導出表示されたときにも、第１状態に制御される（たとえば、第１特別図柄プロセス処理における図３２のＳ８１、図４０のＳ１３３，Ｓ１３９の処理を実行する部分、第２特別図柄プロセス処理で、第１特別図柄プロセス処理におけるこれらの処理に相当する処理を実行する部分）ことを特徴とする。
【手続補正５】
【補正対象書類名】明細書
【補正対象項目名】０００９
【補正方法】変更
【補正の内容】
【０００９】
このような構成によれば、始動動作状態中の可変入賞球装置内の特別領域への遊技球の入賞を要することなく、第１変動表示手段と第２変動表示手段のいずれかに特定表示結果が導出表示されたときにも、可変入賞球装置が第１状態になるために、遊技の変化性を向上でき、興趣が向上する。
【手続補正６】
【補正対象書類名】明細書
【補正対象項目名】００１０
【補正方法】変更
【補正の内容】
【００１０】
（３）  遊技領域に設けられた第１の始動領域（たとえば、第１始動入賞口１３）と、前記遊技領域に設けられた第２の始動領域（たとえば、第２始動入賞口１４）と、前記第１の始動領域に遊技球が入賞したことに基づいて変動表示の第１の開始条件が成立したときに第１識別情報（たとえば、第１特別図柄や第１飾り図柄）の変動表示を開始し、表示結果を導出表示する第１変動表示手段（たとえば、第１特別図柄表示器８ａや第１飾り図柄表示器９ａ）と、前記第２の始動領域に遊技球が入賞したことに基づいて変動表示の第２の開始条件が成立したときに第２識別情報（たとえば、第２特別図柄や第２飾り図柄）の変動表示を開始し、表示結果を導出表示する第２変動表示手段（たとえば、第２特別図柄表示器８ｂや第２飾り図柄表示器９ｂ）と、遊技球が入賞可能な第１状態（たとえば、開状態）と遊技機が入賞不可能な第２状態（たとえば、閉状態）のいずれかの状態に制御可能であり、前記第１変動表示手段または前記第２変動表示手段に所定の表示結果が導出表示されたときに第１状態となる始動動作状態に制御される可変入賞球装置（たとえば、可変入賞球装置２０）と、遊技球が入賞可能な第１状態（たとえば、開状態）と遊技機が入賞不可能な第２状態（たとえば、閉状態）のいずれかの状態に制御可能である特定可変入賞球装置（たとえば、開閉板１６による大入賞口）とを備え、前記可変入賞球装置には入賞領域が設けられ、前記始動動作状態に制御されている前記可変入賞球装置の前記入賞領域のうち特別領域（たとえば、特定入賞口３０）に遊技球が入賞したときに、前記特定可変入賞球装置を第１状態に制御する特定遊技状態に移行させる遊技機であって、
前記第１変動表示手段および前記第２変動表示手段のそれぞれで実行される変動表示について、前記所定の表示結果を導出表示するか否かと、前記特定遊技状態が発生したときの前記特定可変入賞球装置を前記第１状態に変化させる変化回数とを、前記変動表示の表示結果を導出表示する前に決定する事前決定手段（たとえば、第１特別図柄プロセス処理における図３２のＳ６２，Ｓ６３ａ，Ｓ８３、図３３のＳ８３ａ，Ｓ８３ｂ、第２特別図柄プロセス処理で、第１特別図柄プロセス処理におけるこれらの処理に相当する処理を実行する部分）と、
前記特定遊技状態において、前記特定可変入賞球装置を前記第１状態に変化させる制御を前記事前決定手段により決定された変化回数実行する遊技状態制御手段（たとえば、図３３のＳ８３ｇ、図４７のＳＡ５１１〜ＳＡ５１７）と、を備え、
前記事前決定手段は、前記第２変動表示手段で実行される変動表示の後発生する前記特定遊技状態で実行する前記変化回数を、前記第１変動表示手段で実行される変動表示の後発生する前記特定遊技状態で実行する前記変化回数に比べて、相対的に多い回数に決定する（たとえば、図１５（ａ）〜（ｄ），図９５，図９６の第１大当り図柄テーブルと第２大当り図柄テーブルと第１準大当り図柄テーブルと第２準大当り図柄テーブル）ことを特徴とする。
【手続補正７】
【補正対象書類名】明細書
【補正対象項目名】００１１
【補正方法】変更
【補正の内容】
【００１１】
このような構成によれば、第２変動表示手段で実行される変動表示について決定された特定遊技状態で実行される特定可変入賞球装置の第１状態への変化回数が、第１変動表示手段で実行される変動表示について決定された特定遊技状態で実行される特定可変入賞球装置の第１状態への変化回数に比べて、相対的に多い回数となるために、第１変動表示手段と第２変動表示手段とを用いた遊技を多様化することができる。
【手続補正８】
【補正対象書類名】明細書
【補正対象項目名】００１２
【補正方法】変更
【補正の内容】
【００１２】
（４）  前記事前決定手段は、前記第１変動表示手段および前記第２変動表示手段のそれぞれで実行される変動表示について、予め定められた特定表示結果を導出表示するか否かも決定し（たとえば、第１特別図柄プロセス処理における図３２のＳ６２，Ｓ６３、図３３のＳ８３ｂの処理を実行する部分、第２特別図柄プロセス処理で、第１特別図柄プロセス処理におけるこれらの処理に相当する処理を実行する部分）、
前記特定可変入賞球装置は、前記第１変動表示手段と前記第２変動表示手段のいずれかに前記特定表示結果が導出表示されたときにも、第１状態に制御される（たとえば、第９の実施の形態において、第１特別図柄プロセス処理における図３２のＳ８１の処理に相当する処理を実行する部分、図１０２のＳ１３３，Ｓ１３９の処理を実行する部分、第２特別図柄プロセス処理で、第１特別図柄プロセス処理におけるこれらの処理に相当する処理を実行する部分）ことを特徴とする。
【手続補正９】
【補正対象書類名】明細書
【補正対象項目名】００１３
【補正方法】変更
【補正の内容】
【００１３】
このような構成によれば、始動動作状態中の可変入賞球装置内の特別領域への遊技球の入賞を要することなく、第１変動表示手段と第２変動表示手段のいずれかに特定表示結果が導出表示されたときにも、特定可変入賞球装置が第１状態になるために、遊技の変化性を向上でき、興趣が向上する。
【手続補正１０】
【補正対象書類名】明細書
【補正対象項目名】００１４
【補正方法】変更
【補正の内容】
【００１４】
（５）  前記可変入賞球装置の入賞領域に入賞した遊技球を検出して検出信号を出力する入賞検出手段（たとえば、役物入賞スイッチ３４ａ，３４ｂ、特定領域スイッチ３０ａ）と、
前記可変入賞球装置に進入した遊技球が該可変入賞球装置から排出されたことを特定可能な検出信号を出力する排出検出手段（たとえば、役物排出スイッチ２９ａ）と、
前記入賞検出手段からの前記検出信号を入力したか否かを判定する入賞判定手段（たとえば、遊技制御用マイクロコンピュータ５６０において、役物入賞スイッチ３４ａおよび役物入賞スイッチ３４ｂについてＳ３３１〜Ｓ３３８の処理を実行する部分）とをさらに備え、
前記可変入賞球装置が前記始動動作状態または前記特定遊技状態に制御されていないとき（たとえば、エラー検出禁止フラグがセットされていないとき（ＳＡ５６９）、または第１特別図柄プロセスフラグまたは第２特別図柄プロセスフラグが７、８、１０、１１、１４のいずれでもないとき（ＳＡ５６９ａ））に前記入賞判定手段が前記検出信号を入力したことに基づいて異常入賞が生じたと判定し、かつ、前記可変入賞球装置が第１状態に変化したときに、前記可変入賞球装置に進入した遊技球が該可変入賞球装置から排出されたことが前記排出検出手段により検出されたことを条件に、前記入賞判定手段が前記検出信号を入力したことに基づいて異常入賞が生じたと判定する異常判定手段（たとえば、遊技制御用マイクロコンピュータ５６０において、ＳＡ４５１，ＳＡ５１６，ＳＡ５６９〜ＳＡ５７４の処理を実行する部分。なお、「エラー検出禁止フラグ」は、始動動作または大当り遊技が終了するときに、役物内遊技球個数カウンタが０になった場合にリセットされる（ＳＡ４４９，ＳＡ４５１，ＳＡ５０６，ＳＡ５１６参照））をさらに備えたことを特徴とする。
【手続補正１１】
【補正対象書類名】明細書
【補正対象項目名】００１５
【補正方法】変更
【補正の内容】
【００１５】
このような構成によれば、可変入賞球装置が始動動作状態または特定遊技状態に制御されていないときに入賞判定手段が検出信号を入力したことに基づいて異常入賞が生じたと判定し、かつ、可変入賞球装置が第１状態に変化したときに、可変入賞球装置に進入した遊技球が該可変入賞球装置から排出されたと検出されたことを条件に、入賞判定手段が検出信号を入力したことに基づいて異常入賞が生じたと判定するので、正規の遊技が実行されているにも関わらず異常入賞と判定されてしまうことを回避でき、異常入賞が生じていることを確実に検出して報知できる効果がある。
【手続補正１２】
【補正対象書類名】明細書
【補正対象項目名】００１６
【補正方法】変更
【補正の内容】
【００１６】
（６）  前記可変入賞球装置の入賞領域に入賞した遊技球を検出して検出信号を出力する入賞検出手段（たとえば、役物入賞スイッチ３４ａ，３４ｂ、特定領域スイッチ３０ａ）と、
前記可変入賞球装置に進入した遊技球が該可変入賞球装置から排出されたことを特定可能な検出信号を出力する排出検出手段（たとえば、役物排出スイッチ２９ａ）と、
前記入賞検出手段からの前記検出信号を入力したか否かを判定する入賞判定手段（たとえば、遊技制御用マイクロコンピュータ５６０において、役物入賞スイッチ３４ａおよび役物入賞スイッチ３４ｂについてＳ３３１〜Ｓ３３８の処理を実行する部分）とをさらに備え、
前記可変入賞球装置が前記始動動作状態に制御されていないとき（たとえば、第９の実施の形態において第２エラー検出禁止フラグがセットされていないとき（ＳＡ５６９Ａ）、または第１０の実施の形態において第１特別図柄プロセスフラグまたは第２特別図柄プロセスフラグが７、８、１０、１１、１４のいずれでもないとき（ＳＡ５６９Ｂ））に前記入賞判定手段が前記検出信号を入力したことに基づいて異常入賞が生じたと判定し、かつ、前記可変入賞球装置が第１状態に変化したときに、前記可変入賞球装置に進入した遊技球が該可変入賞球装置から排出されたことが前記排出検出手段により検出されたことを条件に、前記入賞判定手段が前記検出信号を入力したことに基づいて異常入賞が生じたと判定する異常判定手段（たとえば、第９の実施の形態における遊技制御用マイクロコンピュータ５６０において、ＳＡ４５１Ａ，ＳＡ５６９Ａ，ＳＡ５７０〜ＳＡ５７４の処理を実行する部分。またまたは第１０の実施の形態における遊技制御用マイクロコンピュータ５６０において、ＳＡ４５１Ａ，ＳＡ５６９Ｂ，ＳＡ５７０〜ＳＡ５７４の処理を実行する部分。なお、「第２エラー検出禁止フラグ」は、始動動作が終了するときに、役物内遊技球個数カウンタが０になった場合にリセットされる（ＳＡ４４９Ａ，ＳＡ４５１Ａ参照））をさらに備えたことを特徴とする。
【手続補正１３】
【補正対象書類名】明細書
【補正対象項目名】００１７
【補正方法】変更
【補正の内容】
【００１７】
このような構成によれば、可変入賞球装置が始動動作状態に制御されていないときに入賞判定手段が検出信号を入力したことに基づいて異常入賞が生じたと判定し、かつ、可変入賞球装置が第１状態に変化したときに、可変入賞球装置に進入した遊技球が該可変入賞球装置から排出されたと検出されたことを条件に、入賞判定手段が検出信号を入力したことに基づいて異常入賞が生じたと判定するので、正規の遊技が実行されているにも関わらず異常入賞と判定されてしまうことを回避でき、異常入賞が生じていることを確実に検出して報知できる効果がある。
【手続補正１４】
【補正対象書類名】明細書
【補正対象項目名】００２４
【補正方法】変更
【補正の内容】
【００２４】
（１０）  前記特定遊技状態による前記変化回数として予め定められた第１の複数種類の回数（たとえば、ラウンド数）と前記第１変動表示手段での複数種類の第１の表示結果との関係を示す第１のデータ（たとえば、図１５，図９５，図９６の第１大当り図柄テーブル，第１準大当り図柄テーブル）を記憶する第１データ記憶手段（たとえば、ＲＯＭ５４における第１大当り図柄テーブル，第１準大当り図柄テーブルの記憶領域）と、
前記特定遊技状態による前記変化回数として予め定められた第２の複数種類の回数（たとえば、ラウンド数）と前記第２変動表示手段での複数種類の第２の表示結果との関係を示す第２のデータ（たとえば、図１５，図９５，図９６の第２大当り図柄テーブル，第２準大当り図柄テーブル）を記憶する第２データ記憶手段（たとえば、ＲＯＭ５４における第２大当り図柄テーブル，第２準大当り図柄テーブルの記憶領域）とをさらに備え、
前記事前決定手段は、さらに、前記第１変動表示手段での表示結果の導出表示後に発生する前記特定遊技状態について、前記第１データ記憶手段に記憶された第１のデータに基づいて、前記変化回数と、導出表示する第１の特定表示結果とを選択決定し（たとえば、第１特別図柄プロセス処理における図３２のＳ８３、図３３のＳ８３ａ〜Ｓ８３ｅ）、前記第２変動表示手段での表示結果の導出表示後に発生する前記特定遊技状態について、前記第２データ記憶手段に記憶された第２のデータに基づいて、前記変化回数と、導出表示する第２の特定表示結果とを選択決定する（たとえば、第２特別図柄プロセス処理で、第１特別図柄プロセス処理における図３２のＳ８３、図３３のＳ８３ａ〜Ｓ８３ｅの処理に相当する処理を実行する部分）ことを特徴とする。
【手続補正１５】
【補正対象書類名】明細書
【補正対象項目名】００２６
【補正方法】変更
【補正の内容】
【００２６】
（１１）  前記入賞領域に遊技球が入賞したことに応じて遊技球を払い出す制御を実行する入賞時払出制御手段（たとえば、遊技制御用マイクロコンピュータ５６０において、Ｓ３６２Ａ〜Ｓ３６５，Ｓ３７１〜Ｓ３８２の処理を実行する部分）を備え、
前記入賞時払出制御手段は、前記異常判定手段が異常入賞が生じたと判定したときには当該入賞に基づく遊技球を払い出す制御の実行を禁止する異常入賞時払出制御禁止手段（たとえば、遊技制御用マイクロコンピュータ５６０において、図６４のＳ３６２Ａ，Ｓ３６２Ｂ，Ｓ３６３Ａ，Ｓ３６３Ｂの処理を実行する部分、または、図１１１のＳ３６２Ａ，Ｓ３６２Ｃ，Ｓ３６３Ｂ，Ｓ３６３Ｃの処理を実行する部分）を含む。